(57)【特許請求の範囲】
【請求項１】
液透過性の表面層、液不透過性の裏面層、及び両層間に介在され、実質的に縦長形状を有する液保持性の吸収層を具備する吸収性物品において、
前記吸収層は、吸収性コア、前記吸収性コアの少なくとも肌当接面側に配された脱落防止用シート、及び前記吸収性コアと前記脱落防止用シートとの間に介在され、吸収性物品に所定の機能を付与する機能性粉粒体を含有する機能性シートを有しており、
前記吸収性コア及び前記脱落防止用シートは、前記機能性シートの前記吸収層の長手方向における前後端から延出し、延出した前記吸収性コア及び前記脱落防止用シートが互いに接合又は当接されて、前記機能性粉粒体が前記吸収層の前後端から脱落しないようになされており、
前記機能性シートは、前記吸収性コアの肌当接面側及び該吸収性コアの両側部を被覆し且つ該機能性シートの両側部が該吸収性コアの非肌当接面側に位置するように、配されており、
前記脱落防止用シートは、前記吸収性コアの両側部上において前記機能性シートを被覆し且つ該脱落防止用シートの両側部が該吸収性コアの非肌当接面側に位置するように、配されており、該脱落防止用シートの両側部が互いに重ね合わされて、前記機能性粉粒体が前記吸収層の左右両側から脱落しないようになされている吸収性物品。
【請求項２】
前記機能性粉粒体が、消臭剤、抗菌剤、芳香剤又は温熱発熱剤である請求項１記載の吸収性物品。
【請求項３】
前記機能性シートが、同一の又は異なる２枚のパルプシート間に、消臭剤を前記機能性粉粒体として含有する消臭剤含有シートを介在させた積層シートであって、該積層シートは、前記吸収層の長手方向に沿う少なくとも一側部の全体に亘って前記消臭剤含有シートが介在していない請求項１又は２記載の吸収性物品。
【請求項４】
前記吸収層は、前記機能性シートを前記吸収層の幅方向に沿って切断して形成された高吸収部を有する請求項１〜３の何れかに記載の吸収性物品。
【発明の詳細な説明】
【０００１】
【発明の属する技術分野】
本発明は、吸収性物品に関し、更に詳しくは、使い捨ておむつ、生理用ナプキン、おりものシート、失禁パッド等として特に好適に用いられる吸収性物品に関する。
【０００２】
【従来の技術及び発明が解決しようとする課題】
吸収性物品に種々の機能を付与することを目的として、吸収性物品における吸収体に各種機能性粉粒体を含有させることが知られている。例えば、排泄された体液から発生する悪臭を抑えるために消臭剤を含有させたり、芳香剤を含有させることが知られている。
【０００３】
しかし、これら機能性粉粒体は、吸収性物品の着用中に、着用者の動作で分散したり、該動作で該吸収性物品が変形した場合に、これに起因して吸収体から脱落する場合がある。その結果、所望の機能が十分に発揮されなくなる場合がある。特に、機能性粉粒体が活性炭のように色の濃いものである場合、これが吸収体から脱落することで吸収性物品の外観や印象までもが悪化してしまう。
【０００４】
従って、本発明の目的は、機能性粉粒体を含有する吸収層を備えた吸収性物品において、該機能性粉粒体の該吸収層からの脱落が防止された吸収性物品を提供することにある。
【０００５】
【課題を解決するための手段】
本発明は、液透過性の表面層、液不透過性の裏面層、及び両層間に介在され、実質的に縦長形状を有する液保持性の吸収層を具備する吸収性物品において、前記吸収層は、吸収性コア、前記吸収性コアの少なくとも肌当接面側に配された脱落防止用シート、及び前記吸収性コアと前記脱落防止用シートとの間に介在され、吸収性物品に所定の機能を付与する機能性粉粒体を含有する機能性シートを有しており、前記吸収性コア及び前記脱落防止用シートは、前記機能性シートの前記吸収層の長手方向における前後端から延出し、延出した前記吸収性コア及び前記脱落防止用シートが互いに接合又は当接されて、前記機能性粉粒体が前記吸収層の前後端から脱落しないようになされており、且つ前記機能性シート内の前記機能性粉粒体が、所定の手段により前記吸収層の左右両側から脱落しないようになされている吸収性物品を提供することにより、前記目的を達成したものである。
【０００６】
【発明の実施の形態】
以下、本発明をその好ましい実施形態に基づき図面を参照しながら説明する。
第１実施形態の使い捨ておむつ１は、図１〜４に示す如く、縦長の形状をしており、液透過性の表面層を構成する表面シート２１、液不透過性の裏面層を構成する裏面シート２２、及び表面シート２１と裏面シート２２との間に介在された液保持性の吸収層としての吸収体１０を具備している。
【０００７】
本実施形態の使い捨ておむつ１は、下着、おむつカバー等の着用具と共に着用されるもので、表面シート２１及び裏面シート２２は、吸収体１０の周縁から外方に延出しており、延出した部分において両シート２１，２２がヒートシール、超音波シール等の所定の接合手段によって接合されている。吸収体１０は、その長手方向を、おむつ１の長手方向と一致させて両シート２１，２２間に挟持固定されている。また、吸収体１０の左右両側縁から延出した表面シート２１及び裏面シート２２が互いに接合固定されることで、おむつの左右両側部に一対のサイドフラップ２３，２３がおむつ１の長手方向に亘って形成されている。サイドフラップ２３の長手方向略中央部部には、サイドフラップ２３の長手方向に沿って伸縮弾性部材２４が配されている。
【０００８】
サイドフラップ２３は、おむつ１の長手方向後方部において、内方（即ち表面シート２１側）に折り返されて第１の折り返し部２５が形成され、更に第１の折り返し部２５を構成するサイドフラップが外方に折り返されて第２の折り返し部２６が形成されている。第１の折り返し部２５は表面シート２１に接合固定され、第２の折り返し部２６は第１の折り返し部２５に接合固定されている。
【０００９】
裏面シート２２の裏面側には、使い捨ておむつ１を着用具に固定するための粘着領域（図示せず）が設けられており、使用前には、剥離シートで保護されている。尚、表面シート２１としては、各種不織布やこれに穿孔を施したもの、穿孔フィルム等が用いられる。裏面シート２２としては、熱可塑性樹脂からなり、透湿性を有するか又は有さないフィルム等が用いられる。また、前記粘着領域形成用の粘着剤及び前記剥離シートとしては、従来、吸収性物品に用いられている各種のものが用いられる。
【００１０】
吸収体１０は、図１〜４に示すように、繊維材料を含む吸収性コア１１、該吸収性コア１１の少なくとも肌当接面Ｐ側に配された脱落防止用シート１２、及び吸収性コア１１と脱落防止用シート１２との間に介在され、おむつ１に所定の機能を付与する機能性粉粒体を含有する機能性シート１３からなる。
【００１１】
吸収性コア１１は、肌当接面から吸収した体液を保持する部分であり、繊維集合体及び／又は吸水性ポリマーから構成される。繊維集合体及び吸水性ポリマーの配置は、特に限定されることはないが、第１実施形態における吸収性コア１１は、繊維集合体からなる吸収性シート１７と、高吸水性ポリマー１８とからなる。吸収性シート１７は、おむつ１の長手方向に沿うその両側部を非肌当接面Ｑ側に折り返して中央部に積層した二層構造を有しており、その二層構造の両層間に高吸水性ポリマー１８が挟持固定されている。
【００１２】
繊維集合体を構成する繊維材料としては、例えば木材パルプや綿等の天然セルロース、レーヨンやキュプラ等の再生セルロース等のセルロース系繊維が好ましく、熱可塑性繊維のフィラメントやステープルファイバー等を用いることもできる。繊維集合体は、紙や不織布であっても良い。
吸水性ポリマーとしては、従来公知の各種のものを用いることができるが、自重の２０倍以上の液体を吸収・保持でき且つゲル化し得るものが好ましい。
【００１３】
脱落防止用シート１２は、機能性シート１３内の機能性粉粒体が吸収体１０から脱落するのを防止するシートである。脱落防止用シート１２は、紙、パルプシート、不織布等、繊維材料からなるシートであり、液透過性である。シート１２の形成材料が親水性でない場合又は親水性の程度が低い場合には、所定の親水化処理を施すことが好ましい。
第１実施形態における脱落防止用シート１２は、吸収体１０の幅方向中央に位置する中央部分が吸収性コア１１の肌当接面Ｐ側の全面を被覆し、吸収体１０の長手方向に沿う両側部が、吸収性コア１１の両側部を覆って吸収性コア１１の非肌当接面Ｑ側に位置するように配されている。
【００１４】
機能性シート１３は、おむつ１に所定の機能を付与する機能性粉粒体を含有するシートである。
機能性シートに含有させる機能性粉粒体としては、消臭剤（脱臭剤を含む）、抗菌剤、芳香剤、温熱発熱剤等があり、おむつ１の要求性能等に応じて適切な機能性粉粒体が用いられる。
機能性粉粒体としては、黒色、褐色、黄色等の有色を呈している場合が多く、そのような有色の機能性粉粒体を用いると、その機能性粉粒体の色が表面シート２を通じて視認されておむつの外観や印象を低下させるという不都合が起こることがある。本発明においては、機能性シート１３の肌当接面Ｐ側に脱落防止用シート１２が配されていることによって、斯かる不都合が回避される。このように、本発明においては、機能性粉粒体の脱落が防止されると共に、該機能性粉粒体が有色である場合には、当該色の遮蔽効果も奏される。色の遮蔽効果は、その色の明度が吸収性物品を構成する吸収性コアの材料及びトップシートの色よりも高い場合に顕著に発現される。
【００１５】
機能性シート１３は、吸収性コア１１と脱落防止用シート１２との間に介在されている。
第１実施形態における機能性シート１３は、吸収性コア１１の前後端部を除く該吸収性コア１１の肌当接面Ｐ側、両側部、及び非肌当接面Ｑ側を被覆するように配されており、その機能性シート１３の外側表面の全体が脱落防止用シート１２により被覆されている。
【００１６】
第１実施形態における機能性シート１３は、同一の又は異なる２枚のパルプシート１４，１５間に、消臭剤を前記機能性粉粒体として含有する消臭剤含有シート１６を介在させた消臭性の積層シートである。このような積層シートを用いることで、肌当接面Ｐに機能性粉粒体が漏れ出すことを確実に防止でき、また、色の遮蔽効果が一層向上する。
【００１７】
積層シート１３における消臭剤含有シート１６は、消臭剤の粉粒体及び繊維原料を主体として構成されている。
消臭剤としては、例えば活性炭、ゼオライト、アモルファスシリカ、ベントナイト、活性アルミナ、活性白土等が用いられる。消臭剤は、一種又は二種以上を用いることができる。消臭剤含有シート１６における消臭剤の含有率は、該シート１６の重量に対して１〜５０重量％、特に３〜３０重量％であることが、十分な消臭効果を発現させる点、及び十分なシート強度及び柔軟性を確保する点から好ましい。繊維原料としては、ＮＢＫＰ、ＬＢＫＰ等の木材パルプの他、藁、綿等の非木材パルプ等の公知の天然繊維が使用できる。また、シート強度を向上させる目的で、ポリエチレン繊維等の合成繊維を適宜混合してもよい。消臭剤含有シート１６における繊維原料の含有率は、該シート６の重量に対して５０〜９９重量％、特に７０〜９７重量％であることが、十分な消臭効果を発現させる点、及び十分なシート強度及び柔軟性を確保する点から好ましい。
【００１８】
両パルプシート１４，１５は、パルプを主体として構成されたシートであり、同一のものでもよく、或いは異なるものでも良く、それぞれ湿式抄紙法及び乾式抄紙法の何れの方法で形成されたものであっても良い。
一方のパルプシート１４は脱落防止用シート１２に密着し、他方のパルプシート１５は吸収性コア１１に密着している。
脱落防止用シート１２側のパルプシート１４は、その坪量が、１２〜３０ｇ／ｍ2 、特に１５〜２０ｇ／ｍ2 であることが、シートの風合いや液吸収性を損なわずに積層シート外への消臭剤の漏れ出しや消臭剤による外観の悪化を防止する観点から好ましい。
【００１９】
吸収性コア１１及び脱落防止用シート１２は、図１〜３に示すように、吸収体１０の長手方向における機能性シート１３の前後端１３ａ，１３ａから延出し、延出した吸収性コア１１及び脱落防止用シート１２が互いに接合又は当接されている。斯かる構成により、機能性シート１３の前後端１３ａ，１３ａからの機能性粉粒体の漏れ出しを抑制でき、また、機能性シート１３から機能性粉粒体が漏れ出したとしても、その移動を阻止ないし抑制できるので、吸収体１０の長手方向の前後端１０ａ，１０ａから機能性粉粒体が漏れ出すことを防止できる。
機能性シート１３の前後端１３ａ，１３ａから延出した吸収性コア１１及び脱落防止用シート１２とは、互いに当接されているのみでも良いが、接合されていることが好ましく、接合手段としては、ヒートシールや超音波シール、ホットメルト型接着剤等の接着剤等が挙げられる。
【００２０】
吸収性コア１１及び脱落防止用シート１２が、機能性シート１３の前後端１３ａ，１３ａから延出する距離は、吸収性コア１１と脱落防止用シート１２とで同一でも異なっていても良く、また、前端と後端とで同一でも異なっていても良いが、吸収体１０の前後端１０ａ，１０ａからの機能性粉粒体の脱落防止の点から、前後端それぞれにおいて、吸収性コア１１及び脱落防止用シート１２の延出距離Ｌ１が、共に０．５ｃｍ以上、特に１．０ｃｍ以上であることが好ましい。
【００２１】
脱落防止用シート１２は、その坪量が１２ｇ／ｍ2 以上、特に１５ｇ／ｍ2 以上であることが、機能性粉粒体の脱落防止の点から好ましい。
【００２２】
また、脱落防止用シート１２は、そのガーレー透気度（ＪＩＳ  Ｐ８１１７）が０．５〜３０．０秒、特に１．０〜１０秒であることが、機能性粉粒体の脱落防止しつつ、吸収体の吸収性を損なわないので好ましい。
【００２３】
第１実施形態のおむつ１においては、所定の手段により、機能性シート１３内の機能性粉粒体が、吸収体１０の長手方向の左右両側１０ｃ，１０ｃからも脱落しないようになされている。
第１実施形態においては、先ず、脱落防止用シート１２が、吸収性コア１１の両側部上において機能性シート１３を被覆し、その両側部が吸収性コア１１の非肌当接面Ｑ側に位置するように、配されており、脱落防止用シート１２の両側部１２ｂ，１２ｂが吸収性コア１１の非肌当接面Ｑ側において互いに重ね合わされている。斯かる構成とすること（第１の手段）により、機能性粉粒体が、吸収体１０の長手方向の左右両側から漏れ出すことが防止される。
【００２４】
更に、機能性シート１３として、同一の又は異なる２枚のパルプシート１４，１５間に、消臭剤を前記機能性粉粒体として含有する消臭剤含有シート１６を介在させた積層シートであって、吸収体１０の長手方向に沿う両側部１３ｂ，１３ｂの全体に亘って消臭剤含有シート１６が介在していない積層シートを用いている（第２の手段）。
【００２５】
機能性シート１３としての積層シートについて更に説明する。積層シート１３における消臭剤含有シート１６の幅は、パルプシート１４，１５の幅よりも小さくなっている。そして、積層シート１３の左右両側部１３ｂ，１３ｂは、消臭剤含有シートの左右両側縁から外方に延出した２枚のパルプシート１４，１５が、接着剤によって互いに接合されて２層構造をなしており、積層シート１３の左右両側部１３ｂ，１３ｂには、その全体に亘って消臭剤含有シート１６が介在していない。両側部又は一側部の全体に亘って消臭剤含有シート１６が介在していない積層シート１３を用いることで、消臭剤含有シート１６の両側端からの消臭剤の脱落が効果的に防止される。
【００２６】
積層シート１３の一側部のみに消臭剤含有シート２が介在しておらず、他側部に消臭剤含有シート２が介在している構成である場合には、一側部を、他側部の上側に配置して重ね合わせる。消臭剤含有シート１６が介在していない側部１３ｂの幅は０．１〜２０ｃｍ、特に１〜６ｃｍであることが好ましい。
尚、吸収体１０の長手方向に沿う方向における消臭剤含有シート１６の長さは、パルプシート１４，１５の同方向の長さと同じであり、積層シート１３の前後端には、消臭剤含有シート１６の端面が露出している。
【００２７】
本発明の第２実施形態の使い捨ておむつについて説明する。第２実施形態のおむつは、第１実施形態のおむつ１の吸収体１０に代えて、図５に示す構成の吸収体１０’を用いる以外は、第１実施形態と同様の構成を有する。従って、以下には、主として第１実施形態との相違点について説明し、特に説明しない点に関しては、第１実施形態に関して上述した説明が適用される。
【００２８】
図５に示すように、第２実施形態の使い捨ておむつにおける吸収体１０’は、吸収性コア１１、機能性シート１３及び脱落防止用シート１２がこの順に積層された扁平形状のシート体であり、脱落防止用シート１２側を表面シート２１側に、吸収性コア１１側を裏面シート２２側にして、おむつ内に配置される。
【００２９】
第２実施形態においては、吸収性コア１１及び脱落防止用シート１２が、それぞれ、機能性シート１３の前後端１３ａ，１３ａ及び機能性シートの左右両側端１３ｃ，１３ｃから延出しており、前後端１３ａ，１３ａから延出した部分及び左右両側端１３ｃ，１３ｃから延出した部分のそれぞれにおいて、延出した吸収性コア１１及び脱落防止用シート１２が接着剤１７により互いに接合されている。
両シートを接合する接着剤１７としては、おむつやナプキン等の吸収性物品に従来用いられている各種のものを用いることができ、例えば、ホットメルト型接着剤、エマルジョン型接着剤、水溶性接着剤等を用いることができる。
接着剤の塗布パターンとしては、連続直線状、ドット状、スパイラル状等、任意のパターンとすることができる。尚、接着剤に代えて、ヒートシール、超音波シール等を接合手段としても良い。
【００３０】
第２実施形態における機能性シート１３は、第１実施形態の積層シートと同様に、同一の又は異なる２枚のパルプシート間に、消臭剤含有シートを介在させた三層構造のシートで、長手方向の両側部の全体に該消臭剤含有シートが介在していない積層シートである。吸収性コア１１は、シート状の繊維集合体における繊維間間隙に高吸水性ポリマーを保持させた吸収性シートからなる。
【００３１】
第２実施形態のおむつは、斯かる構成を有するので、第１実施形態と同様の作用効果が奏される。
例えば、第２実施形態の吸収体１０’においても、吸収性コア１１及び脱落防止用シート１２が、吸収体１０’の長手方向における機能性シート１３の前後端１３ａ，１３ａから延出し、延出した吸収性コア１１及び脱落防止用シート１２が互いに接合されているため、機能性シート１３の前後端１３ａ，１３ａからの機能性粉粒体の漏れ出しを抑制でき、また、機能性シート１３から機能性粉粒体が漏れ出したとしても、その移動を阻止ないし抑制できるので、吸収体１０の長手方向の前後端１０ａ，１０ａから機能性粉粒体が漏れ出すことを防止できる。
また、吸収性コア１１及び脱落防止用シート１２が、機能性シート１３の左右両側端１３ｃ，１３ｃから延出しており、左右両側端１３ｃ，１３ｃから延出した吸収性コア１１及び脱落防止用シート１２が互いに接合されているため、同様に、機能性シート１３内の機能性粉粒体が、吸収体１０’の左右両側１０ｃ，１０ｃからの漏れ出すことを防止できる。
【００３２】
本発明の第３実施形態の使い捨ておむつについて説明する。第３実施形態のおむつは、第１実施形態のおむつ１において、吸収体１０における機能性シート１３を、図６に示すように、該吸収体１０の幅方向に沿って切断して、表面シート２１を透過した体液が他の部分よりも吸収性コア１１に吸収され易い高吸収部Ｒを形成したものである。
【００３３】
斯かる高吸収部Ｒを形成することで、機能性シート１３の液透過性が低い場合に生じる不都合、例えば、吸収性物品の吸収性能が不充分となったり、液戻りによりべたつきが生じたりすること等を防止することができる。高吸収部Ｒを設ける位置、設ける高吸収部の個数、高吸収部Ｒにおける機能性シート１３間の隙間Ｓの幅Ｗは、それぞれ、機能性シート１３によりおむつに付与せんとする消臭機能等の機能と、吸収性能等とのバランスを考慮して適宜に決定することができる。高吸収部Ｒにおける機能性シート１３の切断端面同士は、図６に示すように離間させても良いし、衝合させても良い。更に、一部が重なるようにしても良い。
第３実施形態のおむつに関して、特に説明しない点は、第１実施形態のおむつと同様であり、第３実施形態によれば、第１実施形態と同様の作用効果が奏される。
【００３４】
本発明は第１〜第３実施形態に制限されない。例えば、吸収性コアは、繊維集合体のみからなるものでも、繊維集合体及び高吸水性ポリマーの全体を紙や不織布により被覆してなるものでも良い。また、機能性シート内の機能性粉粒体を、吸収層の左右両側から脱落しないようにする手段は、吸収層の左右両側からの脱落を防止できる限り如何なる手段でも良く、第１実施形態における第１及び第２の手段の何れか一方の手段でも良いし、第２実施形態のように機能性シートの左右両側端を接合により封止するという手段でも良い。
【００３５】
本発明の吸収性物品は、使い捨ておむつに限られず、生理用ナプキン、おりものシート、失禁パッド等にも適用できる。
【００３６】
【発明の効果】
本発明の吸収性物品によれば、機能性粉粒体を含有する吸収層からの該機能性粉粒体の脱落、特に該吸収層の前後端からの脱落が防止される。
【図面の簡単な説明】
【図１】図１は、本発明の第１実施形態としての使い捨ておむつを一部破断して示す斜視図である。
【図２】図２は、第１実施形態のおむつにおける吸収体を肌当接面側から俯瞰した状態を示す平面図である。
【図３】図３は、図２のＡ−Ａ線断面を一部省略して示す断面図である。
【図４】図４は、図２のＢ−Ｂ線断面を一部省略して示す断面図である。
【図５】図５は、第２実施形態のおむつにおける吸収体を分解して示す分解斜視図である。
【図６】図６は、第３実施形態のおむつにおける吸収体の長手方向に沿う断面を一部省略して示す断面図（図３相当図）である。
【符号の説明】
１  使い捨ておむつ（吸収性物品）
１０  吸収体（吸収層）
１１  吸収性コア
１２  脱落防止用シート
１３  機能性シート
１３ａ，１３ａ  機能性シートの前後端
１４，１５  パルプシート
１６  消臭剤含有シート
２１  表面シート（表面層）
２２  裏面シート（裏面層）
Ｘ    吸収体（吸収体）の長手方向
【図１】
0004136270.tif 000002
【図２】
0004136270.tif 000003
【図３】
0004136270.tif 000004
【図４】
0004136270.tif 000005
【図５】
0004136270.tif 000006
【図６】
0004136270.tif 000007